(57)【要約】      （修正有）【課題】大勢で力を合わせなくても展開可能で、骨組み全体が一体型構造で、その他の部材を装着する必要がないガゼボテントを提供する。【解決手段】ガゼボテントであって、支持脚ユニット１、支持脚ユニットの間にヒンジ接続される横梁ユニット、及びガゼボテントの上部に装着される骨組みを含む。支持脚ユニット１は、複数本のポール、ポールの先端に装着される挿接部１５、及びポールの中央部に装着される係合フック１３を含み、支持脚ユニットは、第１補助ポール１６を介して骨組みにヒンジ接続される。横梁ユニットは、１組あたり少なくとも４本の横梁２１を含み、且つ、２本の横梁２１がネジにより上下に交差するよう設置される。【選択図】図２
0003225238.tif 000002
【実用新案登録請求の範囲】
【請求項１】
支持脚ユニット（１）、支持脚ユニット（１）の間にヒンジ接続される横梁ユニット（２）、及びガゼボテントの上部に装着される骨組み（３）を含むガゼボテントであって、
前記支持脚ユニット（１）は、複数本のポール（１１）、ポール（１１）の先端に装着される挿接部（１５）、及びポール（１１）の中央部に装着される係合フック（１３）を含み、前記支持脚ユニット（１）は、第１補助ポール（１６）を介して骨組み（３）にヒンジ接続され、
前記横梁ユニット（２）は、１組あたり少なくとも４本の横梁（２１）を含み、且つ、２本の横梁（２１）がネジにより上下に交差するよう設置され、交差する２組の横梁（２１）は、それぞれ第１ヒンジ接続部（２２）及び第２ヒンジ接続部（２３）にヒンジ接続され、第２ヒンジ接続部（２３）には、横梁（２１）に対し垂直な方向にガイドポール（２４）がヒンジ接続されており、前記ガイドポール（２４）の他端は第１補助ポール（１６）にヒンジ接続され、前記第１補助ポール（１６）の他端はネジにより第２補助ポール（１７）に固定され、前記第２補助ポール（１７）の他端は第１ヒンジ接続部（２２）にヒンジ接続され、前記第３補助ポール（１８）は、一端が第１ヒンジ接続部（２２）にヒンジ接続されるとともに、他端がネジによりガイドポール（２４）に固定され、前記横梁ユニット（２）は、第１補助ポール（１６）を介して骨組み（３）にヒンジ接続され、
前記骨組み（３）は、台座ロック部（３１）、台座ロック部（３１）の上部にヒンジ接続される長手ロッド（３２）、及び台座ロック部（３１）の底部にヒンジ接続される短手ロッド（３３）を含み、且つ、長手ロッド（３２）と短手ロッド（３３）の他端がネジによりヒンジ接続され、前記台座ロック部（３１）は、上方に装着される天井プレート（３１１）、延長ロッド（３１２）を介して接続されるスタンド（３１３）、台座（３１６）とスタンド（３１３）の間に装着されるサブベース（３１４）及びメインベース（３１５）を含み、前記長手ロッド（３２）の端部は天井プレート（３１１）にヒンジ接続により設置され、短手ロッド（３３）の端部はサブベース（３１４）とメインベース（３１５）にヒンジ接続により設置されることを特徴とするガゼボテント。
【請求項２】
前記台座（３１６）には、左右に対向する２つの支持部と、上から下に向かう開口が設けられており、前記サブベース（３１４）には突起が均一に配置されており、前記メインベース（３１５）には、サブベース（３１４）の突起に対応する凹部が設けられていることを特徴とする請求項１に記載のガゼボテント。
【請求項３】
前記挿接部（１５）には、ひさしポール（１５１）を伸縮させる挿接溝（１５２）と、第１補助ポール（１６）をヒンジ接続するヒンジ接続端口（１５３）が設けられていることを特徴とする請求項１に記載のガゼボテント。
【請求項４】
前記挿接溝（１５２）には、ひさしポール（１５１）の上傾幅を規制する位置規制構造が設けられていることを特徴とする請求項３に記載のガゼボテント。
【請求項５】
前記ひさしポール（１５１）の構造はＹ型をなしており、まっすぐなポールと、地面に向かって一定角度湾曲したポールを含み、且つ、これらがネジにより一体構造をなすよう固定されていることを特徴とする請求項４に記載のガゼボテント。
【請求項６】
前記ポール（１１）の底部には拡大底脚（１４）が装着されていることを特徴とする請求項１に記載のガゼボテント。
【考案の詳細な説明】
【技術分野】
【０００１】
本考案はアウトドア用品の技術分野に関し、特に、屋外で涼を取るために用いられるガゼボテントに関する。
【背景技術】
【０００２】
テントは、地面に設営して風雨や日光を遮るものであり、仮設住居としても用いられる。一般的な種別としては、宣伝用、エアー式、除染用等があり、通常は重量を支えるためのポールを内部に必要とせず、スチールフレーム構造を使用する。また、主には屋外での各種大規模イベントに用いられ、設営用地に対する要求が低いことから、用途は広範囲に及ぶ。現在よく見られるテントでは、携帯しやすいよう、通常は支持フレームを折り畳み可能な骨組み構造として設計している。例えば、横梁とポールの間に接続構造を設けることで、支持フレームの収縮及び展開を実現している。しかし、このような構造は、作業時に大勢が力を合わせなければ迅速にテントを展開することができず、使用しやすいとはいえない。また、支持フレームを展開したあと、天井プレート構造が効果的に水溜まりを防止できないため、タープに対する要求が高くなり、ポールによる支持の安定性にも影響する。且つ、タープによる遮蔽面積にも限界がある。
【考案の概要】
【考案が解決しようとする課題】
【０００３】
本考案で解決しようとする技術的課題は、従来技術に存在する課題に対し、構造がより合理的なガゼボテントを提供することである。本考案は、ポールの先端に挿接部が設けられ、ひさしポールがガゼボテントの開閉に伴って同時に伸縮可能であり、且つ、横梁に対し垂直な側にガイドポールが装着されたガゼボテントを提供する。従来技術と比較して、当該ガゼボテントは、作業時に大勢で力を合わせなくても展開可能なため、使用にあたりいっそう便利且つ迅速となる。また、骨組み全体が一体型構造であり、その他の部材を装着する必要がない。且つ、ガゼボテントの展開時にタープが十分に広げられるため、天井部の水溜まりが効果的に防止される。且つ、骨組みを追加で装着することなく、タープの遮蔽面積が拡大される。
【課題を解決するための手段】
【０００４】
本考案は、上記の技術的課題を解決するために以下の技術方案を用いる。
【０００５】
ガゼボテントであって、支持脚ユニット、支持脚ユニットの間にヒンジ接続される横梁ユニット、及びガゼボテントの上部に装着される骨組みを含む。前記支持脚ユニットは、複数本のポール、ポールの先端に装着される挿接部、及びポールの中央部に装着される係合フックを含み、前記支持脚ユニットは、第１補助ポールを介して骨組みにヒンジ接続される。
【０００６】
前記横梁ユニットは、１組あたり少なくとも４本の横梁を含み、且つ、２本の横梁がネジにより上下に交差するよう設置され、交差する２組の横梁は、それぞれ第１ヒンジ接続部及び第２ヒンジ接続部にヒンジ接続され、第２ヒンジ接続部には、横梁に対し垂直な方向にガイドポールがヒンジ接続されており、前記ガイドポールの他端は第１補助ポールにヒンジ接続され、前記第１補助ポールの他端はネジにより第２補助ポールに固定され、前記第２補助ポールの他端は第１ヒンジ接続部にヒンジ接続され、前記第３補助ポールは、一端が第１ヒンジ接続部にヒンジ接続されるとともに、他端がネジによりガイドポールに固定され、前記横梁ユニットは、第１補助ポールを介して骨組みにヒンジ接続される。
【０００７】
前記骨組みは、台座ロック部、台座ロック部の上部にヒンジ接続される長手ロッド、及び台座ロック部の底部にヒンジ接続される短手ロッドを含み、且つ、長手ロッドと短手ロッドの他端がネジによりヒンジ接続され、前記台座ロック部は、上方に装着される天井プレート、延長ロッドを介して接続されるスタンド、台座とスタンドの間に装着されるサブベース及びメインベースを含み、前記長手ロッドの端部は天井プレートにヒンジ接続により設置され、短手ロッドの端部はサブベースとメインベースにヒンジ接続により設置される。
【０００８】
好ましくは、前記台座には、左右に対向する２つの支持部と、上から下に向かう開口が設けられており、前記サブベースには突起が均一に配置されており、前記メインベースには、サブベースの突起に対応する凹部が設けられている。
【０００９】
好ましくは、前記挿接部には、ひさしポールを伸縮させる挿接溝と、第１補助ポールをヒンジ接続するヒンジ接続端口が設けられている。
【００１０】
好ましくは、前記挿接溝には、ひさしポールの上傾幅を規制する位置規制構造が設けられている。
【００１１】
好ましくは、前記ひさしポールの構造はＹ型をなしており、まっすぐなポールと、地面に向かって一定角度湾曲したポールを含み、且つ、これらがネジにより一体構造をなすよう固定されている。
【００１２】
好ましくは、前記ポールの底部には拡大底脚が装着されている。
【考案の効果】
【００１３】
従来技術と比較して、本考案のガゼボテントは以下の有益な効果を有する。
【００１４】
１．ガゼボテントの展開後には、骨組みに自動的にロック可能な部材が設けられている。また、使用を終え、折り畳んで収納する際には、台座を引き動かすだけでロックが解除される。よって、開閉が迅速となり、操作しやすい。
【００１５】
２．ガゼボテントの展開後にタープが十分に広げられるため、水溜まりが効果的に防止される。且つ、骨組みを追加で装着することなく、タープの遮蔽面積が効果的に拡大される。
【００１６】
３．テントの骨組みは良好な靱性を有し、材質が軽量であるとともに、使用寿命が長い。
【図面の簡単な説明】
【００１７】
【図１】図１は、本考案のガゼボテントの構造を示す図である。
【図２】図２は、本考案のガゼボテントにおける直角側のポール構造を示す図である。
【図３】図３は、本考案のガゼボテントにおける横梁側のテントのポール構造を示す図である。
【図４】図４は、本考案のガゼボテントにおける挿接部の構造の平面図である。
【図５】図５は、本考案のガゼボテントにおける挿接部の構造の底面図である。
【図６】図６は、本考案のガゼボテントにおける第１ヒンジ接続部の構造を示す図である。
【図７】図７は、本考案のガゼボテントにおける骨組みの構造を示す図である。
【図８】図８は、本考案のガゼボテントにおける台座ロックユニットの分解図である。
【考案を実施するための形態】
【００１８】
以下に、図面と実施例を組み合わせて、本考案につき更に詳細に述べる。
【００１９】
図１に示すように、本実施例のガゼボテントは、複数の支持脚ユニット１、支持脚ユニット１にヒンジ接続される横梁ユニット２、及び支持脚ユニット１と横梁ユニット２に装着される骨組み３を含む。支持脚ユニット１、横梁ユニット２及び骨組み３の上部には、タープ４が覆設される。
【００２０】
図２〜図５に示すように、支持脚ユニット１は、ポール１１、ポール１１の先端に装着される挿接部１５、ポール１１の中央部に装着される係合フック１３、及びポール１１の底部に装着される拡大底脚１４を含む。ポール１１は、地面に対し垂直に設置される。且つ、ポール１１の断面は矩形である。また、ポール１１の材質は実際のニーズに応じて選択すればよく、本実施例では繊維強化プラスチックを使用する。ポール１１の中央部には、ポール１１を伸縮させる係合フック１３が装着されている。係合フック１３は、高さ調節を実現すべくポール１１の伸縮を制御可能とする。ポール１１の底部には、三角形の拡大底脚１４が設けられている。
【００２１】
ガゼボテントの展開過程では、ポール１１の先端に挿接部１５が設けられており、挿接部１５にひさしポール１５１が嵌設されている。ひさしポール１５１の構造はＹ型をなし、まっすぐなポールと、地面に向かって一定角度湾曲したポールを含む。且つ、これらはネジにより一体構造をなすよう固定されている。このうち、まっすぐなポールは、一端が第１補助ポール１６にヒンジ接続されるとともに、他端が第１固定部１２にヒンジ接続されている。ひさしポール１５１が上傾すると、タープ４が展開される。
【００２２】
挿接部１５は一体型構造をなしている。挿接部１５のベースには、ポールに適合する挿入口が設けられており、挿入口両側の溝口には、両側における横向きの横梁がヒンジ接続により固定される。ひさしポール１５１がより強い支持力を有するよう、挿接部１５上端の対称軸線上には、ひさしポール１５１を伸縮させる挿接溝１５２が設けられている。且つ、挿接溝１５２の形状は、ひさしポール１５１の形状と一致している。更に、挿接溝１５２には、ひさしポール１５１の上傾幅を規制する半弧状の位置規制構造が設けられている。且つ、ガゼボテントの展開後にひさしポール１５１の位置が相対的に固定されるよう、位置規制構造はガゼボテントの内部寄りに設けられる。挿接溝１５２の側辺には、ヒンジ接続端口１５３が更に設けられている。ヒンジ接続端口１５３には第１補助ポール１６がヒンジ接続される。支持脚ユニット１は、第１補助ポール１６を介して骨組み３にヒンジ接続される。
【００２３】
横梁ユニット２は、１組あたり少なくとも４本の横梁２１を含み、且つ、２本の横梁２１がネジにより上下に交差するよう設置される。交差する２組の横梁２１は、端部がそれぞれ第１ヒンジ接続部２２及び第２ヒンジ接続部２３によりヒンジ接続される。第２ヒンジ接続部２３には、横梁２１に対し垂直な方向にガイドポール２４がヒンジ接続されている。また、ガイドポール２４の他端は第１補助ポール１６にヒンジ接続される。第１補助ポール１６の他端は、ネジにより第２補助ポール１７に固定され、第２補助ポール１７の他端は第１ヒンジ接続部２２にヒンジ接続される。第３補助ポール１８は、一端が第１ヒンジ接続部２２にヒンジ接続されるとともに、他端がネジによりガイドポール２４に固定される。横梁ユニット２は、第１補助ポール１６を介して骨組み３にヒンジ接続される。
【００２４】
図６に示すように、第１ヒンジ接続部２２は、上方に位置するＪ型の接続プレートと、下方に位置するＬ型の接続溝を含む。Ｊ型の接続プレートは、第２補助ポール１７と第３補助ポール１８をそれぞれヒンジ接続する。また、Ｌ型の接続溝の左右両側には、横梁２１が１本ずつヒンジ接続される。
【００２５】
第２ヒンジ接続部２３は、第１ヒンジ接続部２２の構造と同様であり、ポール部材を接続する役割を有する。第２ヒンジ接続部２３におけるＪ型の接続プレートは、ガイドポール２４と第１補助ポール１６をそれぞれヒンジ接続するとともに、ガイドポール２４と第１補助ポール１６を互いに平行とする。また、Ｌ型の接続溝の左右両側には、横梁２１が１本ずつヒンジ接続される。
【００２６】
図７〜図８に示すように、骨組み３は、台座ロック部３１、台座ロック部３１の上部にヒンジ接続される長手ロッド３２、及び台座ロック部３１の底部にヒンジ接続される短手ロッド３３を含む。且つ、長手ロッド３２と短手ロッド３３の他端がヒンジ接続される。前記台座ロック部３１は、上方に装着される天井プレート３１１、延長ロッド３１２を介して接続されるスタンド３１３、台座３１６とスタンド３１３の間に装着されるサブベース３１４及びメインベース３１５を含む。長手ロッド３２の端部は天井プレート３１１にヒンジ接続により設置され、短手ロッド３３の端部はサブベース３１４とメインベース３１５にヒンジ接続により設置される。台座３１６には、左右に対向する２つの支持部と、上から下に向かう開口が設けられている。前記サブベース３１４には突起が均一に配置されており、前記メインベース３１５には、サブベース３１４の突起に対応する凹部が設けられている。
【００２７】
ガゼボテントを設営する際には、まず骨組み全体を縦向きに配置してから、一方の側の２本のポール１１を手で引っ張ることで、交差してヒンジ接続される横梁２１を展開する。次に、完全には展開し切っていない骨組み３にタープ４を被せ、人間がガゼボテントの下に入って、台座ロック部３１が自動的にロックされるまで台座３１６を手で押動する。このとき、ガゼボテントが完全に展開する。続いて、タープ４の辺縁の中央部をガイドポール２４に対応させて固定する。使用が終わり、折り畳んで収納する際には、台座３１６を引き動かすだけでロックが解除される。ヒンジ接続されるポール部材はいずれも小さく折り畳み可能なため、占有スペースが最大限節約される。
【００２８】
本考案のガゼボテントは、ポールの先端に挿接部が設けられており、且つ、ひさしポールがガゼボテントの開閉に伴って同時に伸縮可能である。また、横梁に対し垂直な側にガイドポールが装着されている。当該ガゼボテントは、作業時に大勢で力を合わせなくても展開可能なため、使用にあたりいっそう便利且つ迅速となる。また、構造全体が一体型であり、その他の部材を装着する必要がない。且つ、ガゼボテントの展開後にタープが十分に広げられるため、水溜まりが効果的に防止される。且つ、骨組みを追加で装着することなく、タープの遮蔽面積が拡大される。
【００２９】
最後に説明すべき点として、上記の実施例は本考案の技術方案を説明するためのものにすぎず、制限するものではない。上記の実施例を参照して本考案につき詳細に説明したが、当業者であれば理解し得るように、上記の各実施例で記載した技術方案を修正してもよいし、一部の技術的特徴につき等価の置き換えを行ってもよい。また、これらの修正又は置き換えによって、対応する技術方案の本質が本考案の各実施例における技術方案の精神及び範囲から逸脱することはない。
【符号の説明】
【００３０】
１      支持脚ユニット
１１    ポール
１２    第１固定部
１３    係合フック
１４    拡大底脚
１５    挿接部
１５１  ひさしポール
１５２  挿接溝
１５３  ヒンジ接続端口
１６    第１補助ポール
１７    第２補助ポール
１８    第３補助ポール
２      横梁ユニット
２１    横梁
２２    第１ヒンジ接続部
２３    第２ヒンジ接続部
２４    ガイドポール
３      骨組み
３１    台座ロック部
３１１  天井プレート
３１２  延長ロッド
３１３  スタンド
３１４  サブベース
３１５  メインベース
３１６  台座
３２    長手ロッド
３３    短手ロッド
４      タープ
【図１】
0003225238.tif 000003
【図２】
0003225238.tif 000004
【図３】
0003225238.tif 000005
【図４】
0003225238.tif 000006
【図５】
0003225238.tif 000007
【図６】
0003225238.tif 000008
【図７】
0003225238.tif 000009
【図８】
0003225238.tif 000010
【手続補正書】
【提出日】令和1年12月16日(2019.12.16)
【手続補正１】
【補正対象書類名】実用新案登録請求の範囲
【補正対象項目名】全文
【補正方法】変更
【補正の内容】
【実用新案登録請求の範囲】
【請求項１】
支持脚ユニット（１）、支持脚ユニット（１）の間にヒンジ接続される横梁ユニット（２）、及びガゼボテントの上部に装着される骨組み（３）を含むガゼボテントであって、
前記支持脚ユニット（１）は、複数本のポール（１１）、ポール（１１）の先端に装着される挿接部（１５）、及びポール（１１）の中央部に装着される係合フック（１３）を含み、前記支持脚ユニット（１）は、第１補助ポール（１６）を介して骨組み（３）にヒンジ接続され、
前記横梁ユニット（２）は、１組あたり少なくとも４本の横梁（２１）を含み、且つ、２本の横梁（２１）がネジにより上下に交差するよう設置され、交差する２組の横梁（２１）は、それぞれ第１ヒンジ接続部（２２）及び第２ヒンジ接続部（２３）にヒンジ接続され、第２ヒンジ接続部（２３）には、横梁（２１）に対し垂直な方向にガイドポール（２４）がヒンジ接続されており、前記ガイドポール（２４）の他端は第１補助ポール（１６）にヒンジ接続され、前記第１補助ポール（１６）の他端はネジにより第２補助ポール（１７）に固定され、前記第２補助ポール（１７）の他端は第１ヒンジ接続部（２２）にヒンジ接続され、第３補助ポール（１８）は、一端が第１ヒンジ接続部（２２）にヒンジ接続されるとともに、他端がネジによりガイドポール（２４）に固定され、前記横梁ユニット（２）は、第１補助ポール（１６）を介して骨組み（３）にヒンジ接続され、
前記骨組み（３）は、台座ロック部（３１）、台座ロック部（３１）の上部にヒンジ接続される長手ロッド（３２）、及び台座ロック部（３１）の底部にヒンジ接続される短手ロッド（３３）を含み、且つ、長手ロッド（３２）と短手ロッド（３３）の他端がネジによりヒンジ接続され、前記台座ロック部（３１）は、上方に装着される天井プレート（３１１）、延長ロッド（３１２）を介して接続されるスタンド（３１３）、台座（３１６）とスタンド（３１３）の間に装着されるサブベース（３１４）及びメインベース（３１５）を含み、前記長手ロッド（３２）の端部は天井プレート（３１１）にヒンジ接続により設置され、短手ロッド（３３）の端部はサブベース（３１４）とメインベース（３１５）にヒンジ接続により設置されることを特徴とするガゼボテント。
【請求項２】
前記台座（３１６）には、左右に対向する２つの支持部と、上から下に向かう開口が設けられており、前記サブベース（３１４）には突起が均一に配置されており、前記メインベース（３１５）には、サブベース（３１４）の突起に対応する凹部が設けられていることを特徴とする請求項１に記載のガゼボテント。
【請求項３】
前記挿接部（１５）には、ひさしポール（１５１）を伸縮させる挿接溝（１５２）と、第１補助ポール（１６）をヒンジ接続するヒンジ接続端口（１５３）が設けられていることを特徴とする請求項１に記載のガゼボテント。
【請求項４】
前記挿接溝（１５２）には、ひさしポール（１５１）の上傾幅を規制する位置規制構造が設けられていることを特徴とする請求項３に記載のガゼボテント。
【請求項５】
前記ひさしポール（１５１）の構造はＹ型をなしており、まっすぐなポールと、地面に向かって一定角度湾曲したポールを含み、且つ、これらがネジにより一体構造をなすよう固定されていることを特徴とする請求項４に記載のガゼボテント。
【請求項６】
前記ポール（１１）の底部には拡大底脚（１４）が装着されていることを特徴とする請求項１に記載のガゼボテント。